(57)【特許請求の範囲】
【請求項１】
かみそりボディ（１）と、その上部に設けられるかみそりヘッド（５）とを備えており、
かみそりヘッド（５）は、外刃（７７）を支持する外刃ホルダー（２３）と、内刃（３０）とを含み、
外刃ホルダー（２３）は、かみそりヘッド（５）に対して外刃（７７）が内刃（３０）に外接する使用位置と、外刃（７７）が内刃（３０）から所定量離れる洗浄位置とに位置変更可能に、かつ取り外し可能に装着されており、
外刃ホルダー（２３）の着脱動作に連動してモータ（７）への通電状態を切り換える安全装置が、外刃ホルダー（２３）の取付部とかみそりボディ（１）との間に設けられており、
安全装置は、外刃ホルダー（２３）のかみそりヘッド（５）に対する使用位置への装着動作に連動してモータ（７）への通電を可能とし、外刃ホルダー（２３）を洗浄位置から分離した状態において、モータ（７）への通電を阻止できるように構成されており、
安全装置が、モータ（７）への通電回路に介装される安全スイッチ（２５）と、外刃ホルダー（２３）の着脱動作を安全スイッチ（２５）に伝えるスイッチ操作機構とを含んで機械的装置として構成されており、
スイッチ操作機構は、外刃ホルダー（２３）のかみそりヘッド（５）に対する使用位置への装着動作に連動して安全スイッチ（２５）を通電可能に切り換え、外刃ホルダー（２３）の洗浄位置からの取り外し動作に連動して安全スイッチ（２５）を通電不能に切り換えるよう構成されており、
スイッチ操作機構が、外刃ホルダー（２３）の動きを安全スイッチ（２５）に伝える伝動体（２６）を有し、
外刃ホルダー（２３）の位置変位を受け継ぐ伝動体（２６）の受動部が、使用位置における外刃ホルダー（２３）の上部に臨んで配置してあることを特徴とする電気かみそり。
【請求項２】
かみそりボディ（１）と、その上部に設けられるかみそりヘッド（５）とを備えており、
かみそりヘッド（５）は、外刃（７７）を支持する外刃ホルダー（２３）と、内刃（３０）とを含み、
外刃ホルダー（２３）は、かみそりヘッド（５）に対して外刃（７７）が内刃（３０）に外接する使用位置と、外刃（７７）が内刃（３０）から所定量離れる洗浄位置とに位置変更可能に、かつ取り外し可能に装着されており、
外刃ホルダー（２３）の着脱動作に連動してモータ（７）への通電状態を切り換える安全装置が、外刃ホルダー（２３）の取付部とかみそりボディ（１）との間に設けられており、
安全装置は、外刃ホルダー（２３）のかみそりヘッド（５）に対する使用位置への装着動作に連動してモータ（７）への通電を可能とし、外刃ホルダー（２３）を洗浄位置から分離した状態において、モータ（７）への通電を阻止できるように構成されており、
安全装置が、モータ（７）への通電回路に介装される安全スイッチ（２５）と、外刃ホルダー（２３）の着脱動作を安全スイッチ（２５）に伝えるスイッチ操作機構とを含んで機械的装置として構成されており、
スイッチ操作機構は、外刃ホルダー（２３）のかみそりヘッド（５）に対する使用位置への装着動作に連動して安全スイッチ（２５）を通電可能に切り換え、外刃ホルダー（２３）の洗浄位置からの取り外し動作に連動して安全スイッチ（２５）を通電不能に切り換えるよう構成されており、
スイッチ操作機構が、外刃ホルダー（２３）の使用位置への装着動作に連動して、その動作を安全スイッチ（２５）に伝える第１中継体（１２１）および伝動体（２６）と、外刃ホルダー（２３）の洗浄位置からの取り外し動作に連動して、その動作を伝動体（２６）に伝える第２中継体（１２２）とを備えており、
第１中継体（１２１）の位置変位を受け継ぐ伝動体（２６）の第１受動部が、使用位置における外刃ホルダー（２３）の下方に設けられ、
第２中継体（１２２）の位置変位を受け継ぐ伝動体（２６）の第２受動部が、使用位置における外刃ホルダー（２３）の上部に臨んで配置してあることを特徴とする電気かみそり。
【請求項３】
外刃ホルダー（２３）とかみそりヘッド（５）との間に、使用位置において外刃ホルダー（２３）を抜け外れ不能にロック保持するロック機構と、洗浄位置において外刃ホルダー（２３）を位置保持する位置保持機構と、外刃ホルダー（２３）をかみそりヘッド（５）から抜け出る向きに分離付勢するイジェクト機構とが設けてある請求項２記載の電気かみそり。
【請求項４】
伝動体（２６）とかみそりヘッド（５）との間に、外刃ホルダー（２３）の使用位置と取り外し位置とに対応して、伝動体（２６）を各位置に位置保持する節動機構が設けてある請求項１、２または３記載の電気かみそり。
【請求項５】
イジェクト機構が、ばね（６２）で押し上げ付勢される第１イジェクト片（６３）と、別のばね（９４）で押し上げ付勢される第２イジェクト片（９３）とを備えており、
外刃ホルダー（２３）は、第１・第２の両イジェクト片（６３・９３）で使用位置から洗浄位置へ向かって押し上げ操作されて、洗浄位置において位置保持機構で位置保持されており、 第２イジェクト片（９３）は、第１イジェクト片（６３）が上昇停止した後、外刃ホルダー（２３）が洗浄位置へ達するまで外刃ホルダー（２３）を押し上げ操作するように構成してある請求項３記載の電気かみそり。
【請求項６】
第２イジェクト片（９３）と第１イジェクト片（６３）とが上下に隣接して配置されており、第２イジェクト片（９３）の上方のストロークエンドが、第１イジェクト片（６３）の上方のストロークエンドより上方に設定してある請求項５記載の電気かみそり。
【請求項７】
第１イジェクト片（６３）の上昇ストロークが第２イジェクト片（９３）の上昇ストロークより小さく設定され、外刃ホルダー（２３）を使用位置に装着した状態における、各イジェクト片（６３・９３）のばねの張力がほぼ同じに設定してある請求項５または６記載の電気かみそり。
【請求項８】
第１イジェクト片（６３）、ないし第２イジェクト片（９３）のいずれか一方のばね（６２・９４）で、伝動体（２６）が安全スイッチ（２５）から離れる向きに付勢してある請求項５、６または７記載の電気かみそり。
【請求項９】
第２イジェクト片（９３）が第２中継体（１２２）を兼ねている請求項５、６、７または８記載の電気かみそり。
【請求項１０】
外刃ホルダー（２３）の使用位置への装着動作に連動して下降する第１イジェクト片（６３）で、第１中継体（１２１）と伝動体（２６）を介して安全スイッチ（２５）を切り換え操作するように構成してある請求項５、６、７、８または９記載の電気かみそり。
【請求項１１】
内刃（３０）を支持する内刃フレーム（２２）に、内刃（３０）の下半周面と外接するブラシ（３３）が設けられており、
ブラシ（３３）は、第１イジェクト片（６３）に連動して昇降するスライドピース（３４）に軸支されて、内刃（３０）に外接する清掃位置と、内刃（３０）から離れて待機する待機位置との間を往復変位できる請求項５、６、７、８、９または１０記載の電気かみそり。  
【発明の詳細な説明】
【０００１】
【発明の属する技術分野】
この発明は、外刃ホルダーを洗浄位置まで半ば開放した状態で内刃の清掃を行う形態の電気かみそりに関する。
【０００２】
【従来の技術】
この種の電気かみそりは、実公昭６２−３４５２３号公報に公知である。そこでは、外刃ホルダーをかみそりヘッドに対して全嵌合位置と、半嵌合位置においてそれぞれ装着保持できるようにし、半嵌合状態で内刃を駆動しながら水洗い洗浄を行う。このように、外刃ホルダーを半ば開放すると、洗浄水の出入りを容易化し、毛屑等を効果的に洗い流せる。また、内刃の外面を外刃ホルダーで覆って、水洗い洗浄を安全に行える。同趣旨の電気かみそりは特公平８−８９５０号公報にも見ることができる。
【０００３】
【発明が解決しようとする課題】
上記の電気かみそりは、外刃ホルダーをかみそりヘッドから完全に取り外した状態においても、内刃を駆動できるので安全性に問題がある。例えば水洗い後乾燥する間にいたずらを受け、外刃ホルダーを分離した状態のままで内刃が駆動されるおそれがある。意図的に外刃ホルダーを取り外した状態のままで水洗い洗浄されることもある。
【０００４】
こうした事態を避けるために、外刃ホルダーをかみそりヘッドに対して完全に装着した状態でないと、モータを起動できないようにした電気かみそりがある。そこでは、外刃ホルダーの装着部に面して上下動する伝動体を設け、ばねで押し上げ付勢している。外刃ホルダーを完全に装着すると、伝動体がばねの付勢力に抗して押し下げられ安全スイッチを切り換えてモータへの通電回路を遮断する。この種の電気かみそりにおいては、先の電気かみそりのように外刃ホルダーを半ば開放した状態で、内刃を駆動しながら洗浄することができない。かと言って、外刃ホルダーを装着した状態のままで内刃を駆動しながら水洗い洗浄しても、外刃ホルダー内の毛屑を洗い流すことができないので、いずれ外刃ホルダーを外して、その内部や内刃の回りを洗い流す必要があり、洗浄に余分な手間が掛かる。
【０００５】
この発明の目的は、外刃ホルダーを半ば開放した状態で、しかも内刃を駆動しながら水洗い洗浄できるうえ、外刃ホルダーをかみそりヘッドから取り外した状態では内刃の駆動を阻止でき、従って内刃等の洗浄を効果的に行いながら、安全性を確保できる電気かみそりを提供することにある。この発明の他の目的は、外刃ホルダーをかみそりヘッドに対して使用位置と洗浄位置において装着保持でき、この位置変更にもかかわらずモータへの通電を可能な状態に維持し続けることができる安全装置を備えた、水洗い式の電気かみそりを提供することにある。
【０００６】
【課題を解決するための手段】
この発明の電気かみそりは、かみそりボディ１と、その上部に設けられるかみそりヘッド５とを備えている。かみそりヘッド５は、外刃７７を支持する外刃ホルダー２３と、内刃３０とを含む。外刃ホルダー２３は、かみそりヘッド５に対して外刃７７が内刃３０に外接する使用位置と、外刃７７が内刃３０から所定量離れる洗浄位置とに位置変更可能に、かつ取り外し可能に装着されている。外刃ホルダー２３の着脱動作に連動してモータ７への通電状態を切り換える安全装置が、外刃ホルダー２３の取付部とかみそりボディ１との間に設けられている。この安全装置は、外刃ホルダー２３のかみそりヘッド５に対する使用位置への装着動作に連動してモータ７への通電を可能とし、外刃ホルダー２３を洗浄位置から分離した状態において、モータ７への通電を阻止できるように構成してある。
【０００８】
安全装置は、モータ７への通電回路に介装される安全スイッチ２５と、外刃ホルダー２３の着脱動作を安全スイッチ２５に伝えるスイッチ操作機構とを含んで機械的装置として構成する。スイッチ操作機構は、外刃ホルダー２３のかみそりヘッド５に対する使用位置への装着動作に連動して安全スイッチ２５を通電可能に切り換え、外刃ホルダーの洗浄位置からの取り外し動作に連動して安全スイッチ２５を通電不能に切り換えるよう構成する。
【０００９】
スイッチ操作機構は、外刃ホルダー２３の動きを安全スイッチ２５に伝える伝動体２６を有する。外刃ホルダー２３の位置変位を受け継ぐ伝動体２６の受動部を、使用位置における外刃ホルダー２３の上部に臨んで配置する。
【００１０】
もしくは、スイッチ操作機構は、外刃ホルダー２３の使用位置への装着動作に連動して、その動作を安全スイッチ２５に伝える第１中継体１２１および伝動体２６と、外刃ホルダー２３の洗浄位置からの取り外し動作に連動して、その動作を伝動体２６に伝える第２中継体１２２とを備えている。第１中継体１２１の位置変位を受け継ぐ伝動体２６の第１受動部は、使用位置における外刃ホルダー２３の下方に設ける。第２中継体１２２の位置変位を受け継ぐ伝動体２６の第２受動部は、使用位置における外刃ホルダー２３の上部に臨んで配置する。
【００１１】
外刃ホルダー２３とかみそりヘッド５との間に、使用位置において外刃ホルダー２３を抜け外れ不能にロック保持するロック機構と、洗浄位置において外刃ホルダー２３を位置保持する位置保持機構と、外刃ホルダー２３をかみそりヘッド５から抜け出る向きに分離付勢するイジェクト機構とを設ける。
【００１２】
伝動体２６とかみそりヘッド５との間に、外刃ホルダー２３の使用位置と取り外し位置とに対応して、伝動体２６を各位置に位置保持する節動機構を設ける。
【００１３】
イジェクト機構は、ばね６２で押し上げ付勢される第１イジェクト片６３と、別のばね９４で押し上げ付勢される第２イジェクト片９３とを備えている。外刃ホルダー２３は第１・第２の両イジェクト片６３・９３で使用位置から洗浄位置へ向かって押し上げ操作されて、洗浄位置において位置保持機構で位置保持されている。第２イジェクト片９３は、第１イジェクト片６３が上昇停止した後、外刃ホルダー２３が洗浄位置へ達するまで外刃ホルダー２３を押し上げ操作するように構成する。
【００１４】
第２イジェクト片９３と第１イジェクト片６３とは上下に隣接して配置し、第２イジェクト片９３の上方のストロークエンドを、第１イジェクト片６３の上方のストロークエンドより上方に設定する。
【００１５】
第１イジェクト片６３の上昇ストロークを第２イジェクト片９３の上昇ストロークより小さく設定する。外刃ホルダー２３を使用位置に装着した状態における、各イジェクト片６３・９３のばねの張力をほぼ同じに設定する。
【００１６】
第１イジェクト片６３、ないし第２イジェクト片９３のいずれか一方のばね６２・９４で、伝動体２６を安全スイッチ２５から離れる向きに付勢する。
【００１７】
第２イジェクト片９３は第２中継体１２２を兼ねている。
【００１８】
外刃ホルダー２３の使用位置への装着動作に連動して下降する第１イジェクト片６３で、第１中継体１２１と伝動体２６を介して安全スイッチ２５を切り換え操作するように構成する。
【００１９】
内刃３０を支持する内刃フレーム２２に、内刃３０の下半周面と外接するブラシ３３を設ける。ブラシ３３は、第１イジェクト片６３に連動して昇降するスライドピース３４に軸支されて、内刃３０に外接する清掃位置と、内刃３０から離れて待機する待機位置との間を往復変位できる。
【００２１】
【作用および発明の効果】
モータ７への通電状態を切り換える安全装置を設け、外刃ホルダー２３が使用位置にある状態と、使用位置から洗浄位置へ位置変更された状態においては、いずれもモータ７への通電を許すが、外刃ホルダー２３を洗浄位置から取り外すと、モータ７への通電を阻止するように安全装置を構成するので、外刃ホルダー２３を洗浄位置に開放保持し、かつ内刃３０を駆動しながら洗浄できる。従って、この発明の電気かみそりによれば、例えば、内刃３０や外刃ホルダー２３の内面に付着した毛屑等を次々に洗い流しながら効果的に洗浄できる。しかも、外刃ホルダー２３をかみそりヘッド５から取り外した状態では内刃３０を駆動できないので、いたずらによって内刃３０が剥き出した状態のままで駆動され、あるいは内刃３０を剥き出しにし、それを駆動しながら水洗い洗浄されるのを防止し、使用時の安全性を確保できる。
【００２３】
スイッチ操作機構と安全スイッチ２５を含む安全装置においては、先の電気的な安全装置に比べて幾分構造が複雑になるが、故障しにくいので長期使用時にも安定的に安全機能を発揮でき、その分だけ高度の信頼性が得られる。
【００２４】
外刃ホルダー２３をロック機構および位置保持機構で、使用位置および洗浄位置においてそれぞれ位置保持したうえで、イジェクト機構によってかみそりヘッド５から分離する向きに分離付勢する電気かみそりによれば、例えば、外刃ホルダー２３をかみそりヘッド５に対して手動で付け換えて、その位置変更を行う場合に比べて、外刃ホルダー２３の位置変更を簡便に行えるうえ、その手間を省くことができる。
【００２５】
伝動体２６の受動部を、使用位置における外刃ホルダー２３の上部に臨んで配置すると、先の受動部を使用位置における外刃ホルダー２３の下部に臨んで配置する場合に比べて、外刃ホルダー２３がかみそりヘッド５から分離し掛かる状態においても、受動部を外刃ホルダー２３に臨ませておくことができるので、伝動体２６を外刃ホルダー２３の位置の違いに応じて切り換え操作するための構造を簡素化できる。
【００２６】
スイッチ操作機構を、伝動体２６と、外刃ホルダー２３の動きを伝動体２６に伝える第１・第２の両中継体１２１・１２２等で構成し、伝動体２６の第２受動部を使用位置における外刃ホルダー２３の上部に臨んで配置する場合にも、上記と同じ理由で、伝動体２６を切り換え操作するための構造を簡素化できる。第１・第２の各中継体１２１・１２２で伝動体２６を介して安全スイッチ２５をオン、オフ操作するので、外刃ホルダー２３を装着し終った状態と、かみそりヘッド５から取り外した状態とにおいて、つまり外刃ホルダー２３の着脱ストロークの端々において安全スイッチ２５を確実に切り換え操作できることになる。
【００２７】
伝動体２６とかみそりヘッド５との間に節動機構を設け、伝動体２６を外刃ホルダー２３の使用位置と取り外し位置に対応して節動機構で各位置に位置保持すると、例えばばねの付勢力を利用して伝動体２６の位置保持を行う場合に比べて、伝動体２６を洗浄位置と対応する位置に遊動不能に位置保持できる。つまり、伝動体２６が外力を受けて動き、その影響で安全スイッチ２５がオン、オフするのを確実に阻止できる。
【００２８】
第１・第２のイジェクト片６３・９３を備えたイジェクト機構で外刃ホルダー２３を分離する向きに付勢し、動きにくい開放初期には両イジェクト片６３・９３のばねの合計ばね力で外刃ホルダー２３を確実に上昇させ、第１イジェクト片６３が停止した後は、第２イジェクト片９３のばね９４のばね力のみで外刃ホルダー２３をイジェクト操作すると、使用位置から洗浄位置への移行を、最初は迅速かつ確実に、そして第１イジェクト片６３が停止した後は、外刃ホルダー２３を第２イジェクト片９３のみで緩やかに上昇移行できるので、外刃ホルダー２３の解放を確実に行えるうえ、外刃ホルダー２３がかみそりヘッド５から跳ね飛ぶように抜け出てしまうのを防止できる。
【００２９】
第２イジェクト片９３を第１イジェクト片６３の上部に配置し、前者の上方のストロークエンドを後者の上方のストロークエンドより上方に位置させるのは、第２イジェクト片９３で外刃ホルダー２３をなるべく高い位置まで開放操作して、洗浄位置における外刃ホルダー２３とかみそりヘッド５との間の隙間を大きく確保し、洗浄水の導入や毛屑等を含む洗浄水の排出を効果的に行うためである。
【００３０】
第１イジェクト片６３の上昇ストロークに比べて、第２イジェクト片９３の上昇ストロークを大きく設定したうえで、両イジェクト片６３・９３のばね６２・９４の圧縮時のばね張力をほぼ同じに設定すると、第１イジェクト片６３が上昇した後、停止するまでと、それ以降、洗浄位置へ上昇するまでとで、外刃ホルダー２３に作用するばね力に大きな差を生じさせることができる。これにより、外刃ホルダー２３が使用位置から洗浄位置へ開放移動する際の速度変化をより顕著にし、第１イジェクト片６３が停止するまではより速く、それ以後はよりゆっくりと外刃ホルダー２３を開放できる。とくに、第２イジェクト片９３をかみそりヘッド５の左右一側にのみ設ける場合には、外刃ホルダー２３の上昇速度をさらにゆっくりとしたものにできる。
【００３１】
外刃ホルダー２３の動きを、伝動体２６を介して安全スイッチ２５に伝えるスイッチ操作機構において、両イジェクト片６３・９３のいずれか一方のばね６２・９４を利用して伝動体２６を安全スイッチ２５から離れる向きに付勢すると、伝動体２６を押し上げ付勢するためのばねを省略できるので、その分だけスイッチ操作機構を簡略化できる。
【００３２】
第２中継体１２２をイジェクト機構の第２イジェクト片９３で兼ねるようにしたスイッチ操作機構においては、第２中継体１２２を専用部品として構成する場合に比べて、部品点数を減らして、その分だけ電気かみそりの製造コストを減少できる。
【００３３】
外刃ホルダー２３の使用位置への装着動作を、第１イジェクト片６３、第１中継体１２１、伝動体２６の順に伝えて、安全スイッチ２５を所定状態に切り換えるスイッチ操作機構によれば、イジェクト機構とスイッチ操作機構とを、互いに有機的に集約し一体化でき、かみそりヘッド５をコンパクトに構成できる。
【００３４】
内刃クリーニング用のブラシ３３と、ブラシ３３を軸支するスライドピース３４とを内刃フレーム２２に設け、スライドピース３４を第１イジェクト片６３で連動操作することにより、ブラシ３３を内刃３０に外接する清掃位置と、内刃３０から離れて待機する待機位置とに往復変位できるようにした電気かみそりにおいては、ブラシ３３が内刃３０の下半周面に接当する状態で内刃３０のクリーニングを行える。従って、この状態で内刃３０を回転駆動しながら水洗い洗浄すると、ブラシ３３は内刃３０と逆向きに回転しながら、内刃３０の刃面等に付着した毛屑等を強制的に掻き落とすので、内刃３０のクリーニングを効果的に行える。
【００３６】
【実施例】
（実施例１）
図１ないし図２３はこの発明に係る水洗い式の電気かみそりの実施例を示す。図２ないし図５において、電気かみそりは、かみそりボディー１と、その上部に設けられるかみそりヘッド５とからなる。かみそりボディー１は、上下端が開口する異形筒形の本体ケース１Ａと、その内部に上面側から差し込み装填される電装品ユニット２と、ケース下面側から組み付けられる底ケース３とからなる。電装品ユニット２の上部に、かみそりヘッド５がシール４を介して固定してある。電装品ユニット２を本体ケース１Ａ内に装填し、電装品ユニット２と本体ケース１Ａに内嵌した底ケース３とをビス６で締結し、先のシール４を本体ケース１Ａの内面に密着させ、さらに底ケース３側の締結部をＯリングやパッキンでシールすることにより、本体ケース１Ａ内への水の浸入を阻止し、かみそりヘッド５の水洗いを可能としている。電装品ユニット２は、プラスチック成形された内ケース１０にモータ７、二次電池８、回路基板などを組み付けてなる。モータ７の出力軸の部分には水密用のパッキン９が設けてある。
【００３７】
本体ケース１Ａの前面にはモータ起動用のスイッチボタン１１と、このスイッチのオン状態と、二次電池８の電圧状態に応じて、点灯し、あるいは点滅する発光表示体１２が設けてある。また、本体ケース１Ａの後面には、きわぞり刃ユニット１３と、きわぞり刃ユニット１３を起伏操作するスライドノブ１４が設けてある。本体ケース１Ａの一側上部には、首振りロック用のロックノブ１５が設けてある。ロックノブ１５を上方へスライド操作すると、内刃支持台２１の前後揺動を阻止できる。
【００３８】
モータ７の動力は、ギヤトレイン１６を介して最初は横向きに、次いで上向きに伝動され、かみそりヘッド５の上部に設けた前後一対の内刃３０へと伝えられる。また、第２段目のギヤと一体に設けた偏心カムできわぞり刃用の振動子と、センタートリマー用の振動子とを同時に往復駆動して、きわぞり刃ユニット１３と、前後一対の内刃３０の間に設けたセンタートリマ７８（図１７参照）を同時に駆動できるようにしている。なお、きわぞり刃ユニット１３は、スライドノブ１４を上方スライドした状態においてのみ、先の往復動力を受け継ぐ。
【００３９】
図６において、かみそりヘッド５は、それぞれ逆門形に形成されるヘッドフレーム２０と、内刃支持台２１と、内刃フレーム２２と、外刃ホルダー２３などで構成する。これらのヘッド構成部材に、外刃ホルダー２３の着脱動作に連動してモータ７への通電状態を切り換えるための安全装置を、外刃ホルダー２３の取り付け部とかみそりボディー１との間に設けている。また、外刃ホルダー２３とかみそりヘッド５との間には、使用位置において外刃ホルダー２３を抜け外れ不能にロック保持するロック機構と、洗浄位置まで開放された外刃ホルダー２３を位置保持する位置保持機構と、外刃ホルダー２３をかみそりヘッド５から抜け出る向きに分離付勢するイジェクト機構が設けてある。
【００４０】
（安全装置）
安全装置は、モータ７への通電回路に介装されて、通電回路をオン、オフ状態に切り換える安全スイッチ２５と、外刃ホルダー２３の着脱動作を安全スイッチ２５に伝えるスイッチ操作機構とからなる。図５に示すように、安全スイッチ２５はモータ７に隣接してシール４の下面側に配置されている。つまり、かみそりボディー１の側に安全スイッチ２５を設けている。
【００４１】
ヘッドフレーム２０は、下向きに開口するケース部２０ａと、ケース部２０ａの左右両端に立設したホルダー部２０ｂとを有し、ケース部２０ａの内部に先のギヤトレイン１６の大半と振動子等を収容し、その下面が蓋２０ｃで塞いである。図６に向かって左方のホルダー部２０ｂにはギヤトレイン１６の残りが配置され、その外面がカバー２４で覆ってある。右方のホルダー部２０ｂには外刃ホルダー２３の着脱動作を安全スイッチ２５へ伝える伝動体２６が設けられ、その外面がカバー２４で覆ってある。右方のカバー２４には、後述する外刃ホルダー２３用のロック機構をロック解除操作するためのロック解除ボタン５３が設けてある。伝動体２６の内側には、第１イジェクト片６３を押上げ操作する押圧片２７と、圧縮コイル形のばね６２とが設けてある。これらの詳細は後述する。
【００４２】
内刃フレーム２２は、基壁２８と、基壁２８の左右両端に立設した一対の側壁２９とを有し、両側壁２９の上端間に前後一対のロータリー刃からなる内刃３０をそれぞれ回転自在に軸支している。基壁２８の前後面には、洗浄水の流入を容易化する案内面２８ｂが、上り傾斜状に形成してある。図６に向かって左方の内刃軸には小直径の内刃ギヤが固定してあり、このギヤが内刃支持台２１に設けた終段ギヤ３２と噛み合うことにより、モータ動力を前後の内刃３０へ同時に伝えるようになっている。内刃清掃のために、各内刃３０の下方に清掃用のブラシ３３を配置し、その左右端を側壁２９に組み付けたスライドピース３４で回転自在に軸支している。ブラシ３３は、一群のブラシ毛を複数の芯線の間にねじり合わせて螺旋スクリュー状に形成してあり、ねじり合わされた芯線が芯軸３５を兼ねている。内刃フレーム２２は内刃支持台２１に対して着脱自在に圧嵌係合してある。符号２８ａはそのための係合片を示す。
【００４３】
図７ないし図９において、スライドピース３４は、側壁２９の内面に沿って摺接する縦壁部３７と、縦壁部３７の摺接面側に突設した前後一対の係合爪３８と、縦壁部３７の下端に横向きに突設した接当片３９とを有する。一対の係合爪３８を側壁２９に通設した上下方向の溝４０に圧嵌係合することにより、スライドピース３４は溝４０で上下動自在に案内支持される。縦壁部３７の上部には、ブラシ３３の芯軸３５を受け入れる軸受穴４１を設け、その穴底部に連続して斜めに傾斜するカム面４２を係合爪３８と同方向へ突設する。軸受穴４１を囲む周縁壁の前面上部には、外刃ホルダー２３の動きを受け継ぐ受片４３を突設する。なお、スライドピース３４は左右対称の一組を用意しておいて、これらでブラシ３３の両端を軸支する。また後方の一組は前方の一組の左右を入れ換えて配置し、同様にしてブラシ３３を軸支する。
【００４４】
上記のように、ブラシ３３をスライドピース３４で軸支し、さらにスライドピース３４を側壁２９でスライド案内することにより、ブラシ３３をそのブラシ毛が内刃３０に外接する上方の清掃位置（図８に示す状態）と、ブラシ毛が内刃３０から離れる下方の待機位置（図９に示す状態）との間で往復変位できる。クリーニング時には、ブラシ３３は内刃３０の回転力を受けて回転する。このときの回転反力を軽減するために、先の溝４０の中心を内刃３０の回転中心軸を通る垂直面より前後いずれかにずらしている。詳しくは、前方のブラシ３３は先の垂直面より前側で、後方のブラシ３３は先の垂直面より後側で、それぞれ内刃３０と外接するようにしている。
【００４５】
清掃位置へ上昇したブラシ３３が、内刃３０の回転反力を受けて下降移動するのを防ぐために、スライドピース３４と側壁２９との間に下降防止具を設けている。具体的には図１０に示すように、先の溝４０の上端に設けた横向きの受凹部４６と、先に説明したカム面４２とで下降防止具を構成し、清掃位置へ上昇したブラシ３３の芯軸３５を、カム面４２で溝４０の前後中心よりもさらに前又は後へ偏寄した位置へと偏位操作し、芯軸３５を受凹部４６で受け止めさせて、回転反力の殆どを受凹部４６に負担させるようにしている。こうした芯軸３５の横移動を許すために、軸受穴４１の基本形状を前後に長い長円状とし、その底部一側にカム面４２を設けている。ブラシ３３の交換を容易化するために、軸受穴４１の上下幅は芯軸３５の直径値より充分に大きく設定してある。
【００４６】
図１１に示すように、内刃フレーム２２の両側壁２９の外面側には、それぞれサイドカバー４７が圧嵌装着してある。サイドカバー４７の前後の脚部には、それぞれカバー厚み方向へ弾性変形できるストッパー爪４８が設けてある。ストッパー爪４８は外刃ホルダー２３を洗浄位置に位置保持するために設けてあるが、そのことは後述する。
【００４７】
図６において内刃支持台２１は、上向きに開口する区画を備えた台基部２１ａと、その左右両端から立設した左右一対の案内腕２１ｂと、台基部２１ａの上面開口を塞ぐ蓋体２１ｃとからなる。左右の案内腕２１ｂに設けた軸５１をヘッドフレーム２０のホルダー部２０ｂの上部で軸支することにより、内刃支持台２１は前後揺動自在に、つまり首振り可能に軸支される。台基部２１ａの内部には、内刃支持台２１に外嵌装着した外刃ホルダー２３を、抜け外れ不能にロック保持するためのロック機構が設けられる。
【００４８】
（ロック機構）
図１２に示すように、ロック機構はロックピース５２と、ロックピース５２をロック解除操作するロック解除ボタン５３と、これらの部材に組まれる２種類の圧縮コイル形のばね５４・５５とからなる。ロックピース５２は、平面視でＴ字形の左右両端の爪腕５６と、これら爪腕５６の外面前後に設けたロック爪５７と、両腕５６どうしを繋ぐ前後一対の連動枠５８と、ロック解除ボタン５３と対向する爪腕５６に設けた受動ピン５９などで構成する。各爪腕５６の中央枠の内部にばね５５を装填することにより、各爪腕５６はロック爪５７が台基部２１ａの外側方へ進出する向き、つまり外刃ホルダー２３とロック係合する向きに進出付勢される。
【００４９】
図１２において、受動ピン５９をロック解除ボタン５３でばね５４に抗して押し込み操作すると、図に向かって右方の爪腕５６は台基部２１ａ内を左方へ移動して、ロック爪５７が外刃ホルダー２３のロック凹部８０から外れる。この動きを利用して、図に向かって左方の爪腕５６をロック解除方向へ操作するために、連動枠５８の左端にＶ字状の動作反転部６０を設けて、その支点部６０ａを台基部２１ａに設けた固定壁６１で受け止めている。右方の爪腕５６が左方スライドすると、連動枠５８も同行スライドする。しかし、動作反転部６０と連動枠５８の直線枠部、および左方の爪腕５６とは、それぞれ薄肉のヒンジ部を介して繋がっているので、動作反転部６０は支点部６０ａを支点にして、前方のそれは前向きに、後方のそれは後向きに、それぞれ傾動する。その結果、左方の爪腕５６には右方の爪腕５６とは逆向きの力が伝わって右方スライドし、ロック爪５７が外刃ホルダー２３から外れる。
【００５０】
（イジェクト機構）
ロック解除操作された外刃ホルダー２３を内刃支持台２１から強制的に分離上昇させ、同時に、ブラシ３３を待機位置から清掃位置へ上昇操作するために、内刃支持台２１の左右に設けた案内腕２１ｂのそれぞれに、イジェクト機構を設けている。イジェクト機構は左右一対の第１イジェクト片６３と、これらを直接又は間接的に押し上げ付勢するばね６２と、第１イジェクト片６３に連続して外刃ホルダー２３を洗浄位置まで押し上げる第２イジェクト片９３とからなり、外刃ホルダー２３を、２段階に分けて押し上げ開放する。第１イジェクト片６３の構造およびその付勢構造は左右で異なるので分けて説明する。
【００５１】
図６に向かって左方のギヤトレイン１６に隣接する側の案内腕２１ｂには、図７に示す第１イジェクト片６３を設ける。第１イジェクト片６３は案内腕２１ｂの外側面に摺接する主壁６４と、主壁６４から横向きに突設されて、案内腕２１ｂを主壁６４と協同して抱持状に挟持する上下一対の弾性係合爪６５・６５と、主壁６４の内側面に突設したばね受片６６と、主壁６４の板面上部に設けた弾性係合腕６７などで構成する。上側の弾性係合爪６５は、案内壁２１ｂを前後に挟み保持する状態で設けてあって、それ自体が上下スライドを安定的に行うためのスライド片６５ａを兼ねている。この弾性係合爪６５の前後一対の腕部には、案内腕２１ｂの内面に係合する爪片６８が設けられ、さらに腕部の先端の前後にスライドピース３４の接当片３９を操作するための操作片６９が突設される。
【００５２】
図１３に示すように下側の弾性係合爪６５は、台基部２１ａの側壁に通設した前後一対のスライド溝７１に圧嵌係合される。このスライド溝７１の間にばね受片６６用のスライド溝７２を設け、ばね受片６６と台基部２１ａの内底との間に圧縮コイル形のばね６２を介装している。このように、ばね６２で押し上げ付勢された第１イジェクト片６３は、その操作片６９が、接当片３９と接当して、スライドピース３４を上方へ同行スライドさせる。また、外刃ホルダー２３を内刃支持台２１に装着する際には、外刃ホルダー２３の押圧段部８３がスライド片６５ａの上端に接当して、第１イジェクト片６３をばね６２に抗して押し下げ操作する。
【００５３】
図６に向かって右方の第１イジェクト片６３は、上記の第１イジェクト片６３と概ね同じ構造とするが、ばね６２による押し上げ付勢を間接的に行う点等に違いがある。右方の第１イジェクト片６３は、先に説明したロック機構の受動ピン５９に面して設けられる。そのため、その主壁６４にはばね受片６６を設けることができない。そこで、第１イジェクト片６３とは別に押圧片２７を設け、この押圧片２７をばね６２で押し上げ付勢している。図１６において押圧片２７は、座板２７ａの上下面に操作ピン２７ｂと、ばね受ピン２７ｃを突設してなり、操作ピン２７ｂが主壁６４の下端内面に膨出した突壁７３と接当して、第１イジェクト片６３の全体を押し上げ操作する。押圧片２７はヘッドフレーム２０のケース部２０ａ内に収容され、ばね６２の下端は蓋２０ｃで受け止められている（図６参照）。押圧片２７は、外刃ホルダー２３を使用位置に装着するとき、その動きを第１イジェクト片６３を介して受け継ぎ、さらに伝動体２６に伝える第一中継体を兼ねている。
【００５４】
上記のように、右方の第１イジェクト片６３は、突壁７３を設ける以外に、主壁６４に受動ピン５９用の逃げ溝７４を設ける点、スライド片６５ａの突端内面に、後述する第２イジェクト片９３用の受止部７５を設ける点等が左方の第１イジェクト片６３と異なる。なお、左方の第１イジェクト片６３で説明した各部材と同一の部材には、同じ符号を付してその説明を省略する。
【００５５】
図１７において外刃ホルダー２３は、ホルダー本体７６と前後一対の外刃７７、および両外刃７７の間に配置したセンタートリマ７８とからなる。ホルダー本体７６はキャップ状に形成してあり、その左右壁のそれぞれに、内外支持台２１の案内壁２１ｂに外嵌する装着部７９を設け、装着部７９を前後に挟む左右壁の内面下部にロック爪５７と係合するロック凹部８０を設けている。ロック凹部８０の上側に連続して逃げ溝８１が凹み形成してある。装着部７９の中途部には、左方の第１イジェクト片６３を押し下げ操作し、あるいは第２イジェクト片９３を介して右方の第１イジェクト片６３を押し下げ操作するための押圧段部８２を設ける。押圧段部８２に連続して、係合凹部８３を設ける。
【００５６】
（位置保持機構）
外刃ホルダー２３は、使用位置と洗浄位置との２位置においてそれぞれ位置保持される。使用位置においては、先に説明したロック機構で抜け外れ不能にロック保持され、洗浄位置においては、ホルダー本体７６の側壁内面とサイドカバー４７との間に設けた位置保持機構で、外刃ホルダー２３を抜け外れ不能に保持されている。図１１に示すように位置保持機構は、サイドカバー４７に設けたストッパー爪４８と、この爪４８と係合するロック凹部８０とからなる。つまりストッパー爪４８の係合相手として、ロック機構のロック凹部８０を利用している。このように、洗浄位置においては外刃ホルダー２３をストッパー爪４８で位置保持するが、この位置保持状態における外刃ホルダー２３は、４個のストッパー爪４８で支持されているだけであり、しかもロック凹部８０の前後幅は十分に大きいので、外力を受けて遊動し得る状態になっている。そのため、外刃ホルダー２３は洗浄水の水撃作用を受け、あるいは内刃駆動時の振動を受ける時、がたがたと揺さぶられ、その内面に付着した毛屑等を効果的におとすことができる。なお、外刃ホルダー２３が使用位置にあるとき、ストッパー爪４８は、ホルダー本体７６の側壁内面の逃げ溝８１に係合している。
【００５７】
ホルダー本体７６の左右側壁の内方に一対の垂壁８６を突設し、この垂壁８６の間に補助枠８７とセンタートリマ７８を圧嵌装着し、補助枠８７の前後面と外刃ホルダー２３の前後壁との間に外刃７７を断面アーチ形に装着している。垂壁８６の下部前後に、スライドピース３４の受片４３と接当する押下段部８８を設けている。先に説明したように第１イジェクト片６３は外刃ホルダー２３の押圧段部８２で押し下げ操作される。このとき、スライドピース３４が溝４０に引っ掛かって内刃３０に接当したままになるのを防ぐために、押下段部８８を設け、これで受片４３を介してスライドピース３４も確実に待機位置へ下降操作できるようにしている。
【００５８】
外刃ホルダー２３が使用位置からイジェクト操作された状態において、第１イジェクト片６３はばね６２で押し上げられて、ブラシ３３が清掃位置まで上方スライドした時点で案内腕２１ｂに受け止められる。この状態を内刃３０の回転反力に逆らって確実に位置保持するために、第１イジェクト片６３と案内腕２１ｂとの間に第２の下降防止具を設けている。図１５において下降防止具は、主壁６４に設けた弾性係合腕６７と、案内腕２１ｂの第１イジェクト片６３との摺接面に凹み形成した係合凹部９１ａと、係合凹部９１ａの下側に隣接して形成した誘導傾斜面９１ｂとからなる。誘導傾斜面９１ｂは、第１イジェクト片６３がばね６２で押上げ操作されるとき、弾性係合腕６７の係合凹部９１ａへの乗り上がりを容易化するために設けてある。
【００５９】
ロック機構をロック解除操作したとき、左右の第１イジェクト片６３はそれぞればね６２の付勢力を受けて急速に上方スライドするが、そのストロークは短い。つまり、ブラシ３３が清掃位置へ上昇した時点で第１イジェクト片６３は停止する。この状態から外刃ホルダー２３をさらにもう一段押し上げ操作して、外刃ホルダー２３を洗浄位置まで開放操作するために、図６において右方の案内腕２１ｂに第２イジェクト片９３を設け、これをイジェクトばね９４で押し上げ付勢している。
【００６０】
図１６および図１８において、第２イジェクト片９３は、案内腕２１ｂの内側面に沿って摺接するスライド壁９５と、スライド壁９５の上部左右に設けた抱持腕９６と、抱持腕９６の両側上部に設けた受動爪９７と、スライド壁９５の下面に設けたばね受座９８を有する。抱持腕９６を案内腕２１ｂに係合し、さらにばね受座９８を案内腕２１ｂのばね溝９９に係合することにより、第２イジェクト片９３は案内腕２１ｂで上下スライド可能に支持され、ばね受座９８と内刃支持台２１の内底との間に介装したイジェクトばね９４で押し上げ付勢される。なお、イジェクトばね９４の押し上げ力は、第１イジェクト片６３用のばね６２の押し上げ力に比べて小さいが、そのストロークはばね６２のストロークに比べて十分に長い。外刃ホルダー２３を使用位置に装着した状態においては、第１イジェクト片６３用のばね６２と、第２イジェクト片９３用のばね９４とは、それぞれ圧縮変形されるが、このときの両ばね６２・９４のばね張力（反発力）はほぼ同じになるように設定する。
【００６１】
外刃ホルダー２３を取り外した状態において、第２イジェクト片９３は案内腕２１ｂの上端に位置している。この状態から、外刃ホルダー２３を内刃支持台２１に装着しかけると、図１８に示すようにその左右両側壁に設けた押圧段部８２が受動爪９７に接当して、第２イジェクト片９３を押し下げ操作する。このとき受動爪９７は、係合凹部８３に落ち込み係合している。そして、抱持腕９６の下端が第１イジェクト片６３の受止部７５に接当した後は、図１９に示すように第１イジェクト片６３も同時に下降移動して、最下降位置まで押し下げ操作される。このとき、スライドピース３４も同時に押し下げ操作されることは先に説明した通りである。第１イジェクト片６３の下降動作は押圧片２７を介して伝動体２６に伝えられる。従って、外刃ホルダー２３を適正に装着しない限りは、安全スイッチ２５をオン状態に切り換えることができない。
【００６２】
ロック機構をロック解除操作すると、外刃ホルダー２３は第１イジェクト片６３および第２イジェクト片９３のばね６２・９４の合計ばね力を受けて、急速に押し上げ操作されるが、第１イジェクト片６３がブラシ３３を清掃位置まで押し上げた後は、第２イジェクト片９３のみが上昇してゆっくりと外刃ホルダー２３を押し上げて洗浄位置（図１８の状態）まで開放する。このとき、サイドカバー４７のストッパー爪４８がホルダー本体７６の側壁内面のロック凹部８０に係合している。従って、左右一対の強いばね６２で第１イジェクト片６３を介して外刃ホルダー２３を急激に上昇開放しているにもかかわらず、外刃ホルダー２３がかみそりヘッド５からピヨンと跳び出すことはない。
【００６３】
以上のように、構成した電気かみそりは、図１に示すように外刃ホルダー２３を洗浄位置まで上昇開放して、ブラシ３３が内刃３０の下側周面に外接する状態で水洗い洗浄する。このとき、内刃３０を回転駆動しながら洗浄を行うと、より効果的にクリーニングを行える。そこで、安全装置を設け、外刃ホルダー２３を洗浄位置に開放した状態においても、モータ７を駆動できるようにしている。安全スイッチ２５は、外刃ホルダー２３の動きに連動して、スイッチ操作機構を介してオンオフ操作される。
【００６４】
（スイッチ操作機構）
図１、図２０および図２１において、スイッチ操作機構は、ホルダー部２０ｂの外側面に設けた伝動体２６と、第１・第２の各中継体１２１・１２２とからなる。伝動体２６は、ホルダー部２０ｂの外面に沿って上下摺動するスライドピース１０１と、スライドピース１０１の下端から横向きに突設される下腕部（第１受動部）１０２とを有し、下腕部１０２の上下面に規制ピン１０３と安全スイッチ２５を押圧する操作ピン１０４を突設してなる。規制ピン１０３はヘッドフレーム２０のケース部２０ａの内面に設けたボスで上下スライドのみ自在に案内支持してある。下腕部１０２には、押圧片２７のばね受ピン２７ｃとばね６２を挿通するための穴１０５が通設してある。
【００６５】
第１中継体１２１は先に説明した押圧片２７が兼ねており、第１イジェクト片６３と共に押圧片２７が下降する時、伝動体２６の下腕部１０２を押圧片２７の座板２７ａで押し下げ操作して、安全スイッチ２５をオン状態に切り換える。同様に、第２中継体１２２は先に説明した第２イジェクト片９３が兼ねており、外刃ホルダー２３を洗浄位置から取り外すと、第２イジェクト片９３が伝動体２６を強制的に上方へスライド操作して、安全スイッチ２５をオフ状態に切り換える。外刃ホルダー２３が洗浄位置まで開放された状態においては、伝動体２６は上昇せず、安全スイッチ２５は先のオン状態に維持されていて内刃３０を駆動できる。
【００６６】
そのために、スライドピース１０１とホルダー部２０ｂとの間に節動機構を設けている。具体的には、スライドピース１０１の前後枠の中途部に無端状の弾性腕１０６を一体に設け、その中途部に設けた節動突起１０７が、案内腕２１ｂのピン１０８を上下に乗り越えるようにしている。先に説明したように押圧片２７が第１イジェクト片６３で最下降位置まで押し下げ操作されるとき、伝動体２６は押圧片２７で押し下げ操作されて、その節動突起１０７がピン１０８を下方へ乗り越えてその下半周面に接当する（図２０の状態）。この時点で伝動体２６は安全スイッチ２５をオン状態に切り換える。この状態から外刃ホルダー２３を洗浄位置まで開放すると、押圧片２７と第１イジェクト片６３は、それぞれ上方移動する。この上方移動に伴って、押圧片２７の座板２７ａは伝動体２６の下腕部１０２から離れながら上方移動する。しかし、伝動体２６は移動せず、安全スイッチ２５のオン状態を維持し続ける。このとき、外刃ホルダー２３はその両側壁に設けた係合凹部８３に第２イジェクト片９３の受動爪９７が落ち込み係合している。さらに、サイドカバー４７のストッパー爪４８がロック凹部８０に係合している。
【００６７】
上記の状態から外刃ホルダー２３を抜き出し操作すると、第２イジェクト片９３は外刃ホルダー２３と同行移動して、その抱持腕９６がスライドピース１０１の上端前後に設けた一対の受爪（第２受動部）１０９を介して、伝動体２６を上方へスライド操作する。その結果、節動突起１０７はピン１０８を上方へ乗り越えてその上半周面で受け止められる。このときの伝動体２６の上方移動動作で安全スイッチ２５をオフ状態に切り換える。さらに外刃ホルダー２３を抜き出すと、受動爪９７と係合凹部８３の係合が解除されて、外刃ホルダー２３をかみそりヘッド５から分離できる。従って、内刃３０が剥き出しになった状態では、内刃３０を駆動できないことになる。
【００６８】
上記のように、外刃ホルダー２３を洗浄位置まで開放した状態においても、内刃３０を回転駆動できるようにすると、内刃３０の外面を外刃ホルダー２３で覆った安全な状態の許に、内刃３０の水洗い洗浄を効果的に行える。水洗い洗浄時には、図２２に示すように、外刃ホルダー２３の開口縁と、内刃フレーム２２との間の隙間を介して洗浄水が外刃ホルダー２３内へ入り込む。このときの洗浄水の導入と、洗い流された毛屑等を含む洗浄水の排出を円滑化するために、内刃フレーム２２の基壁２８に案内面２８ｂを設け、外刃ホルダー２３の開口縁と案内面２８ｂとの対抗間隔が大きくなるようにしている。洗浄後の電気かみそりは、図２３に示すように、スタンド１３０に立てて乾燥する。スタンド１３０は、上面が開口する円筒体からなり、その前面と底壁とに充電用のコードを通すためのスリット１３１が設けてある。前面のスリット１３１に臨む筒壁内面には、かみそりボディー１の底ケース３を受け止める段部１３２が内向きに突設してある。充電時、および水洗い洗浄後の電気かみそりを段部１３２で受け止めて、全体がやや後傾し、底ケース３がスタンドの底壁から離れた状態で起立保持することにより、充電コードの引出しを容易に行え、洗浄後の水切りを確実に行える。通常の収納状態においては、想像線で示すように底ケース３をスタンドの底壁で受け止めた状態に起立保持することにより、収納高さを低くすることができる。
【００６９】
（提案例１）
図２４に安全装置を電気的な装置として構成した提案例を示す。そこでは、外刃ホルダー２３の取付部、詳しくは、内刃フレーム２２の側壁２９に第１センサー１２５と第２センサー１２６とを配置し、外刃ホルダー２３が使用位置に装着された状態を第１センサー１２５で検知し、外刃ホルダー２３が洗浄位置まで開放された状態を第２センサー１２６で検知する。第１・第２の各センサー１２５・１２６は、それぞれリードスイッチで構成し、これらのリードスイッチをオン、オフ操作するために、外刃ホルダー２３の一方の側壁に磁石１２７を固定しておく。これらの各部材１２５・１２６・１２７と、各センサー１２５・１２６からの出力信号を受けて、モータ７への通電状態を制御する制御回路１２８とで安全装置を構成している。各センサー１２５・１２６はフォトセンサーを用いることができる。この場合には、外刃ホルダー２３の側に鏡等の反射体を設ける。
【００７０】
制御回路１２８は、各センサー１２５・１２６のいずれか一方がオン状態にあり、かつ、スイッチボタン１１がオン操作された状態において、モータ７への通電を許すように構成してある。従って、外刃ホルダー２３が使用位置と洗浄位置にある状態においてのみモータ７を駆動でき、外刃ホルダー２３をかみそりヘッド５から取り外した状態や、外刃ホルダー２３がかみそりヘッド５に対して、左右逆向きで使用位置に装填されるような場合に、モータ７が駆動されるのを阻止できる。なお、この提案例においても、外刃ホルダー２３は先に説明した、ロック機構と位置保持機構とで、使用位置と洗浄位置において位置保持できるようになっている。なお、先の実施例と同等の部材には同じ符号を付して、その説明を省略する。以下の提案例においても同じ扱いとする。
【００７１】
（提案例２）
図２５は、スイッチ操作機構、およびイジェクト機構などを変更した提案例を示す。そこでは、外刃ホルダー２３の使用位置から洗浄位置への動きを伝動体２６に伝えて、安全スイッチ２５を一個の伝動体２６で直接オン、オフ切り換えできるようにした。伝動体２６は、ヘッドフレーム２０で上下動自在に案内支持されている。摺動軸部の上端には、弾性変形可能な爪１３５が突設してあり、この爪１３５を外刃ホルダー２３の内壁に設けたピン１３６で押し下げ操作し、あるいは押し上げ操作することにより、伝動体２６を上下操作して安全スイッチ２５をオン、オフ切り換えできるようにしている。
【００７２】
かみそりヘッド５には、外刃ホルダー２３を使用位置と洗浄位置の各位置で位置保持するロック機構と位置保持機構とが設けてある。ロック機構は、揺動可能に軸支した左右一対のロックレバー１３７と、ロックレバー１３７をその弾性に逆らってロック解除操作する左右一対の解除ボタン１３８とからなる。ロックレバー１３７のロック爪１３９は、外刃ホルダー２３の側壁に設けたロック溝１４０の溝底と係合して、外刃ホルダー２３を使用位置に位置保持している。位置保持機構は、ロック機構と同様の左右一対のロックレバー１４１と、ロックレバー１４１をロック解除操作する左右一対の解除ボタン１４２とからなり、ロック機構がロック解除された後、ロックレバー１４１のロック爪１４３がロック溝１４０の溝底と係合して、外刃ホルダー２３を洗浄位置に位置保持する。この後、ロックボタン１４２を押し込んで、ロックレバー１４１をアンロック操作すると、外刃ホルダー２３はイジェクト片１４４で押し出され、その間にピン１３６が爪１３５を同行移動させて、伝動体２６を上方操作する。その結果、安全スイッチ２５はオフ状態に切り換わる。かみそりヘッド５には、外刃ホルダー２３を押し上げ操作するイジェクト片１４４を設け、これをばね６２で押し上げ付勢する。
【００７３】
（提案例３）
図２６はイジェクト機構およびスイッチ操作機構を変更した提案例を示す。そこでは、かみそりヘッド５に上下動可能なスライド枠１４６を設け、このスライド枠１４６に外刃ホルダー２３を圧嵌係合する。そのうえで、外刃ホルダー２３を押し上げ操作する第１イジェクト片６３と、スライド枠１４６を押し上げ操作する第２イジェクト片９３を設ける。第２イジェクト片９３は上下揺動可能に軸支し、これを上下スライド可能な第１イジェクト片６３で、ピン６３ａと溝９３ａを介して揺動操作して、外刃ホルダー２３が第１イジックト片６３から離れた後、外刃ホルダー２３を洗浄位置へ向かって大きなストロークで押し上げ操作できるようにした。第２イジェクト片９３は伝動体２６を兼ねていて、その下端に設けた操作片で安全スイッチ２５をオン、オフ操作する。内刃フレーム２２には、外刃ホルダー２３を洗浄位置において受け止める係合突起１４７を設け、この突起１４７と対応する突起１４８を外刃ホルダー２３の内面前後に突設する。洗浄位置からさらに外刃ホルダー２３を抜き出し操作すると、スライド枠１４６から外刃ホルダー２３を分離でき、この時点で安全スイッチ２５をオフ状態に切り換えることができる。
【００７４】
（提案例４）
図２７はスイッチ操作機構の変形例を示す。そこでは、伝動体２６をかみそりヘッド５内に上下スライドのみ自在に設けておき、これを外刃ホルダー２３と同行移動する第１中継体１２１で操作できるようにした。伝導体２６と第１中継体１２１とは、伝動体２６の上端の受片１４９と、第１中継体１２１に設けた溝１５０を介して繋がっている。従って、外刃ホルダー２３が使用位置から洗浄位置まで開放移動しても、この動きを溝１５０で逃がして、伝動体２６を位置保持し、安全スイッチ２５をオン状態に維持し続けることができる。外刃ホルダー２３を洗浄位置からさらに抜き出し操作すると、第１中継体１２１と伝動体２６とが同行移動するので、安全スイッチ２５をオフ状態に切り換えることができる。符号１５１は、第１中継体１２１を連動操作する操作片であって、外刃ホルダー２３の内面に設ける。この操作片１５１は、外刃ホルダー２３の着脱時に第１中継体１２１の上端の受爪を弾性変形させながら乗り越える。
【００７５】
上記以外に、この発明は内刃３０が左右に往復駆動される、往復動型の電気かみそりにも適用できる。ブラシ３３は回転可能なブラシであることが好ましいが、必要であれば歯ブラシ状の非回転型のものを適用できる。この発明は水洗い式ではない電気かみそりにも適用でき、その場合には、ブラシ３３で掻き落とした毛屑等を、外刃ホルダー２３と内刃フレーム２２との間の隙間から排しながら内刃３０のクリーニングを行える。このとき、内刃３０の回転動力を利用して外刃ホルダー２３を強制的に振動させながらクリーニングを行うと、外刃ホルダー２３に付着した毛屑等を効果的に払い落とすことができる。第２イジェクト片９３は左右一対のものとして左右の案内腕２１ｂにそれぞれ配置することができる。
【図面の簡単な説明】
【図１】安全装置の断面図である。
【図２】電気かみそりの正面側の斜視図である。
【図３】電気かみそりの背面側の斜視図である。
【図４】電気かみそりの正面図である。
【図５】電気かみそりの分解断面図である。
【図６】かみそりヘッドの分解正面図である。
【図７】スライドピースと第１イジェクト片の斜視図である。
【図８】内刃フレームと内刃支持台を分離した断面図である。
【図９】ブラシが待機位置にある状態の図８と同等の断面図である。
【図１０】ブラシの軸支構造を示す側面図である。
【図１１】内刃フレームの側面図である。
【図１２】外刃ホルダーのロック機構の横断平面図である。
【図１３】第１イジェクト片と案内腕の関係を示す縦断側面図である。
【図１４】第１イジェクト片を押し下げた状態の内刃支持台の側面図である。
【図１５】図１４におけるＡ−Ａ線断面図である。
【図１６】スライドピース、第１イジェクト片および第２イジェクト片の分解斜視図である。
【図１７】外刃ホルダーの縦断側面図である。
【図１８】第２イジェクト片と外刃ホルダーの関係を示す縦断正面図である。
【図１９】図１７の状態から各ピースを押下げ操作した状態の縦断正面図である。
【図２０】伝動体の側面図である。
【図２１】伝動体の斜視図である。
【図２２】水洗い洗浄状態を示す側面図である。
【図２３】スタンドの断面図である。
【図２４】  提案例１に係る安全装置の説明図である。
【図２５】  提案例２に係る安全装置の概念図である。
【図２６】  提案例３に係る安全装置の概念図である。
【図２７】  提案例４に係る安全装置の概念図である。
【符号の説明】
１  かみそりボディ
５  かみそりヘッド
２３  外刃ホルダー
２５  安全スイッチ
２６  伝動体
３０  内刃
６２  ばね
６３  第１イジェクト片
９３  第２イジェクト片
９４  ばね
１２１  第１中継体
１２２  第２中継体
【図１】
0004475479.tif 000002
【図２】
0004475479.tif 000003
【図３】
0004475479.tif 000004
【図４】
0004475479.tif 000005
【図５】
0004475479.tif 000006
【図６】
0004475479.tif 000007
【図７】
0004475479.tif 000008
【図８】
0004475479.tif 000009
【図９】
0004475479.tif 000010
【図１０】
0004475479.tif 000011
【図１１】
0004475479.tif 000012
【図１２】
0004475479.tif 000013
【図１３】
0004475479.tif 000014
【図１４】
0004475479.tif 000015
【図１５】
0004475479.tif 000016
【図１６】
0004475479.tif 000017
【図１７】
0004475479.tif 000018
【図１８】
0004475479.tif 000019
【図１９】
0004475479.tif 000020
【図２０】
0004475479.tif 000021
【図２１】
0004475479.tif 000022
【図２２】
0004475479.tif 000023
【図２３】
0004475479.tif 000024
【図２４】
0004475479.tif 000025
【図２５】
0004475479.tif 000026
【図２６】
0004475479.tif 000027
【図２７】
0004475479.tif 000028